(57)【要約】      （修正有）【課題】体液や埃などの汚染物やウィルスを含む飛沫から使用者の顔面を保護し、着脱が容易で、良好な視野を確保できるフェイスシールドを提供する。【解決手段】透明シート１、側面フレーム５０１と前面フレーム５０２を有するフレーム、および固定部材４を有し、フレームと固定部材とが、透明シートの両端部を挟持し、挟持された透明シートの面が、透明シートの孔２と固定部材の棒状突起４０１を介してフレームと固定部材との間で旋回する。【選択図】図４
0003227844.tif 000002
【実用新案登録請求の範囲】
【請求項１】
透明シート、フレーム、固定部材を有し、
上記フレームと上記固定部材とが、上記透明シートの両端部を挟持し、
上記フレームと上記固定部材とで挟持された上記透明シートの面が、上記フレームと上記固定部材との間で旋回することができる、
フェイスシールド。
【請求項２】
上記透明シートの両端部に孔が設けられ、
上記固定部材の一部が上記孔を貫通して上記フレームに連結することによって、上記フレームと上記固定部材とが上記透明シートの両端部を挟持する、
請求項１に記載のフェイスシールド。
【請求項３】
上記透明シートの両端部に切欠部が設けられ、
上記フレームと上記固定部材とで挟持された上記透明シートの面が、上記フレームと上記固定部材との間で、上記切欠部により制限された範囲で旋回することができる、
請求項１または２に記載のフェイスシールド。
【請求項４】
上記フレームが、上記フェイスシールドの使用時に使用者の顔面および上記透明シートに対向する前面フレームと、上記フェイスシールドの使用時に使用者の側頭部に保持される側面フレームとを有する、
請求項１〜３のいずれかに記載のフェイスシールド。
【請求項５】
上記フレームが折りたたみ可能である、
請求項１〜４のいずれかに記載のフェイスシールド。
【考案の詳細な説明】
【技術分野】
【０００１】
本考案は、廃液や体液、粉塵や埃などの汚染物から使用者の顔面を保護するための器具：フェイスシールドに関する。
【背景技術】
【０００２】
体液や埃などの汚染物やウィルスを含む飛沫から使用者の顔面を保護するための器具としては、様々なものが知られている。例えば特許文献１には、透明プラスチック製の顔面保護用フィルムと、この顔面保護用フィルムをマスクとを一体化させたアイシールドマスクが記載されている。特許文献２には、覆面型覆い部、固定部、回動フレーム、透明カバーシールドを備える手術用マスクが記載されている。また特許文献３には、フロントフレーム、ツル、透明プラスチックシートを備える、メガネをかけた状態で着用可能な顔面ガードフレームが記載されている。
【０００３】
しかしながら、これら従来のフェイスシールドには改善の余地がある。例えば特許文献１に記載されたアイシールドマスクは、マスクと顔面保護フィルムとの密着性が弱く、着脱が容易ではない、対面者から使用者の口の動きや表情が分かりにくい、顔面保護フィルムが小さく使用者が良好な視野を確保することができない、などの問題がある。特許文献２に記載された手術用マスクは、手術現場に居合わせる医療従事者を保護する能力は高いものの、部品点数が多いためにコストが高く、着脱が容易ではないため、市中の衛生管理者や介護職に普及させることが難しい。特許文献３に記載された顔面ガードフレームは、簡素な構造でメガネをかけたまま着用できる点は便利であるが、使用者の視野を確保するために透明プラスチックシートを薄くした場合には、着脱の際には透明プラスチックシートとフレームを両手で注意深く保持する必要があり、取り扱い性の点ではなおも問題がある。
【先行技術文献】
【特許文献】
【０００４】
【特許文献１】特開２０１６−１２３６９３号公報
【特許文献２】特開２０１８−１０４８７６号公報
【特許文献３】実用新案登録第３１９４８６５号公報
【考案の概要】
【考案が解決しようとする課題】
【０００５】
そこで本考案者は、これら従来の欠点を改善したフェイスシールドを求めた。すなわち本考案者は、着脱が容易で、使用者の顔面全体を保護することができ、使用者が良好な視野を確保できる、という全ての要求を満たすフェイスシールドを目指した。
【課題を解決するための手段】
【０００６】
その結果、本考案者は以下のような簡素な構造で問題を解決することに成功した。
（考案１）透明シート、フレーム、固定部材を有し、上記フレームと上記固定部材とが、上記透明シートの両端部を挟持し、上記フレームと上記固定部材とで挟持された上記透明シートの面が、上記フレームと上記固定部材との間で旋回することができる、フェイスシールド。
（考案２）上記透明シートの両端部に孔が設けられ、上記固定部材の一部が上記孔を貫通して上記フレームに連結することによって、上記フレームと上記固定部材とが上記透明シートの両端部を挟持する、考案１のフェイスシールド。
（考案３）上記透明シートの両端部に切欠部が設けられ、上記フレームと上記固定部材とで挟持された上記透明シートの面が、上記フレームと上記固定部材との間で、上記切欠部により制限された範囲で旋回することができる、考案１または２のフェイスシールド。
（考案４）上記フレームが、上記フェイスシールドの使用時に使用者の顔面および上記透明シートに対向する前面フレームと、上記フェイスシールドの使用時に使用者の側頭部に保持される側面フレームとを有する、考案１〜３のいずれかのフェイスシールド。
（考案５）上記フレームが折りたたみ可能である、考案１〜４のいずれかのフェイスシールド。
【考案の効果】
【０００７】
使用者は、本考案のフェイスシールドを簡単な操作で、例えば片手でも、着脱することができる。使用者は、本発明のフェイスシールドを着用したまま、簡単な操作で、例えば片手でも、透明シートの位置を使用環境（風の有無、周囲の人や物との距離、気温）に適した地点に調節することができる。
【０００８】
本考案のフェイスシールドは使用者の視野全体を透明シートで覆うため、使用者の良好な視野を確保しつつ、使用者の顔面全体を保護することができる。
【図面の簡単な説明】
【０００９】
【図１】本考案のフェイスシールドを構成する透明シートの一例を模式的に示す。
【図２】本考案のフェイスシールドを構成する透明シートの一例を模式的に示す。
【図３】本考案のフェイスシールドにおいて、フレームと固定部材とが透明シートを挟持する様子を模式的に示す。
【図４】本考案のフェイスシールドにおいて透明シート（１）が標準的な位置にある状態を模式的に示す。
【図５】本考案のフェイスシールドにおいて透明シート（１）の旋回が進み、切欠部（３）の端部（３０１）が固定部材（４）と側面フレーム（５０１）に接触した状態を模式的に示す。
【図６】本考案のフェイスシールドにおける透明シート（１）の端部を模式的に示す。
【考案を実施するための形態】
【００１０】
［フェイスシールド］  本考案のフェイスシールドは、透明シート、フレーム、固定部材を有する。以下、それぞれの構成部材について説明する。
【００１１】
［透明シート］  本考案のフェイスシールドが備える透明シートは、本考案のフェイスシールドが着用された状態では使用者の顔面に対向し、使用者の顔面を血液や飛沫、埃などの汚染物質から保護する。保護機能を高めるためには、適度な柔軟性と強度を有する材料で上記透明シートを構成することが望ましい。このような透明シートの材料としては、例えば、ポリスチレン系樹脂、ポリプロピレン系樹脂、ポリアクリレート系樹脂、ポリカーボネート系樹脂などが使用される。また上記透明シートの厚みは、使用者の取り扱い性や強度によって適宜設定され、特に限定されないが、通常は０．１ｍｍ以上２ｍｍ以下、好ましくは０，２ｍｍ以上１ｍｍ以下の範囲である。
【００１２】
透明シートの形状は、使用者の顔面を保護することができ、かつ、使用者の動作の妨げにならない形状であれば制限されない。通常は透明シートとして、鋭利な角がない長方形や楕円に近い形状に裁断されたものが用いられる。
【００１３】
［フレーム］  本考案のフェイスシールドが備えるフレームは、本考案のフェイスシールドが着用された状態では使用者の皮膚に直接接触して、上記透明シートが使用者の顔面に対向するように保持する。上記フレームは、使用者の視野を妨害しない形状と位置で配置されることが望ましい。本考案では、上記透明シートと上記フレームとは、上記透明シートの端部で互いに連結する。
【００１４】
上記フレームは、本考案のフェイスシールドが着用された状態では上記透明シートと使用者の顔面とに対向する前面フレームと、本考案のフェイスシールドが着用された状態では使用者の側頭部に保持される側面フレームとを有する。上記前面フレームは、典型的には、使用者の鼻の両側に保持される。上記前面フレームの好ましい形態は、いわゆるメガネの鼻当てである。使用者の側頭部に保持された上記側面フレームは、使用者の耳にかけられていてもよい。上記側面フレームの好ましい形態は、いわゆるメガネの耳掛け部（つる）である。
【００１５】
使用者がメガネをかけたまま本発明のフェイスシールドを使用することができるように、上記全面フレームを、使用者のメガネのフレームを囲む枠と、使用者の鼻の両側に保持される部分（鼻当て）とで構成することが望ましい。
【００１６】
本考案で用いるフレームは、折り畳み可能な構造とすることができる。好ましくは、上記前面フレームと上記側面フレームとの連結部分を折り曲げ可能とする。さらに好ましくは、本考案のフェイスシールドを使用していない状態では、上記透明シートおよび上記前面フレームに対向するように上記側面フレームが折畳まれる構造とする。このような構造とすることによって、フェイスシールド全体をコンパクトな形状で保管することができる。
【００１７】
［固定部材］  本考案のフェイスシールドが備える固定部材は、上記透明シートと上記フレームとを接続する。好ましくは、上記フレームと上記固定部材とが、上記透明シートの両端部を挟持することによって、上記透明シートと上記フレームとが接続する。さらに好ましくは、上記透明シートの両端部に孔が設けられ、上記固定部材の一部が上記孔を貫通して上記フレームに連結することによって、上記フレームと上記固定部材とが上記透明シートの両端部を挟持し、上記透明シートと上記フレームとが接続する。
【００１８】
本考案のフェイスシールドでは、上記フレームと上記固定部材とで挟持された上記透明シートの面が、上記フレームと上記固定部材との間で旋回することができる。したがって、本考案で用いる固定部材は、上記透明シートに溶着することなく、クリップ式及び／又はネジ式で上記透明シートを介して上記フレームに固定される。
【００１９】
本考案のフェイスシールドでは、上記旋回の範囲を制限して、本考案のフェイスシールドが着用された状態で使用者の顔面保護が不可能となる位置に透明シートが移動することを防ぐことが、好ましい。このような制限された旋回運動を実現するために、例えば、上記透明シートの両端部に孔と切欠部を設ける。この場合、上記固定部材の一部が上記孔を貫通して上記フレームに連結することによって、上記フレームと上記固定部材とで挟持された上記透明シートの面が上記フレームと上記固定部材との間で、上記孔を軸として旋回する。旋回が進み、上記切欠部の端部が上記フレーム及び／又は上記固定部材に接触すると、上記透明シートの旋回が停止する。したがって、上記透明シートの旋回範囲は、上記切欠部の大小に対応する範囲に制限される。
【００２０】
本考案では、透明シートが、フレームと固定部材とで挟持された状態で、上記フレームと上記固定部材との間で旋回するから、使用者は小さな力で、典型的には片手でも、透明シートを適当な位置に移動させることができる。しかも、透明シートは移動した位置で停止する。上記透明シートに孔と切欠部を設けた場合には、上記透明シートの旋回範囲が制限されるから、周辺の人や物に透明シートが接触した場合でも透明シートが大きく旋回して使用者が無防備な状態になることを防ぐことができる。このように、本考案のフィスシールドは、簡単な操作で、使用環境（照明、風向、周囲の人や物）に応じて透明シートの位置を調節することができる。
【実施例】
【００２１】
本考案の例を、図面を参照させて説明する。本考案のフェイスシールドを構成する部材の形状や配置は、図面に示された形状や配置に限定されない。
【００２２】
［端部に孔と切欠部を有する透明シート］  図１，図２，図６に、本考案に用いる透明シートの例を示す。透明シート（１）は、その端部に孔（２）と切欠部（３）を有する。
【００２３】
［フレームと固定部材とによる透明シートの挟持］  図３は、本考案のフェイスシールドが着用された状態で、使用者の頭の上から見た、使用者の右前方の、固定部材（４）、フレーム（５）、透明シート（１）を示す。フレーム（５）の側面フレーム（５０１）と固定部材（４）とが、透明シート（１）を挟持している。側面フレーム（５０１）の延長（図３外の下方に延長した部分）が使用者の右の側頭部に保持される。固定部材（４）の一部（４０１）が、透明シート（１）に設けられた孔（２）を貫通して、側面フレーム（５０１）に連結している。このような固定部材（４）の一部（４０１）は、例えば棒状突起であって、棒状突起（４０１）が透明シート（１）の孔（２）を貫通し、さらに側面フレーム（５０１）も貫通して、側面フレーム（５０１）の表面に突出する。
【００２４】
また固定部材（４）の他の一部（４０２）は直接側面フレーム（５０１）に連結している。このような固定部材（４）の他の一部（４０２）は典型的にはリング状末端であって、リング状末端（４０２）に側面フレーム（５０１）が貫通している。
【００２５】
固定部材（４）が透明シート（１）と側面フレーム（５０１）とに適度に密着するように、固定部材（４）はエラストマー性を有する柔軟な材料で構成される。
【００２６】
透明シート（１）は、孔（２）と孔（２）を貫通する固定部材（４）の一部（４０１）とを軸として、側面フレーム（５０１）と固定部材（４）の間を旋回することができる。
【００２７】
［透明シートの旋回］  図４、図５を用いて、本考案のフェイスシールドにおける透明シートの旋回の様子を説明する。図４、図５に、透明シート（１）、固定部材（４）、フレーム（５）を使用者の右耳の側から見た様子を示す。使用者は省略している。透明シート（１）は孔（２）と切欠部（３）を有する。実際には孔（２）は固定部材（４）に隠れて見えないが、便宜上、透視した様子を示す。実際には孔（２）には固定部材（４）の一部（４０１）が貫通している。フレーム（５）は前面フレーム（５０２）と側面フレーム（５０１）とから構成される。孔（２）付近におけるフレーム（５）、透明シート（１）、固定部材（４）の位置関係は図３に示した通りである。
【００２８】
図４は、透明シート（１）が標準的な位置、すなわち、使用者の顔面に対してほぼ平行の位置にある状態を示す。固定部材（４）と側面フレーム（５０１）のいずれもが、切欠部（３）の端部（３０１，３０２）に接触していない。図４の透明シート（１）を、透明シート（１）の下端（１０１）を使用者の顔面から遠ざける向きに（図４上では時計と反対回りに）、孔（２）と固定部材（４）の一部（４０１）とを軸に旋回させると、切欠部（３）の端部（３０１）が固定部材（４）と側面フレーム（５０１）に接近する。逆に、図４の透明シート（１）を、透明シート（１）の下端（１０１）を使用者の顔面に近づける向きに（図４上では時計回りに）、孔（２）と固定部材（４）の一部（４０１）とを軸に旋回させると、切欠部（３）の端部（３０２）が固定部材（４）と側面フレーム（５０１）に接近する。
【００２９】
図５は、透明シート（１）の旋回が進み、切欠部（３）の端部（３０１）が固定部材（４）と側面フレーム（５０１）に接触した状態を示す。透明シート（１）は、これ以上使用者の顔面から遠ざかる向きに（図４上では時計と反対回りに）旋回することはできない。使用者は片手で透明シート（１）を移動して、フェイスシールドを図４，図５などで示される状態に調節することができる。
【００３０】
本考案のフェイスシールドは、従来品に無い特徴として、このような透明シートの旋回機能を有している。本発明のフェイスシールドにおいて透明シートに切欠部を設ける場合には、使用者にとって安全な範囲に限り、使用者が簡単に素早く透明シートの位置決めを行うことができる。しかも、本発明のフェイスシールドは比較的軽量で、使用者が長時間着用することができる。また本発明のフェイスシールドの部品点数は比較的少なく、低コストであり量産にとって有利である。
【００３１】
本発明のフェイスシールドは、フレームや固定部材の形状や色調、触感を変化させることで、高い意匠性を持たせることができる。この点で、使用者自身はもちろんのこと、使用者に対面する人物にも、大きな違和感を与えることがない。このため、本考案のフィスシールドは、医療だけでなく、福祉や教育などの様々な分野で普及すると期待される。
【産業上の利用可能性】
【００３２】
本考案のフェイスシールドは、汚染物に対する防御性、良好な取り扱い性、良好な視野、装着快適性、低コスト性の全てを備える。このため、本考案のフェイスシールドは、医療や福祉、教育、各種サービス業の分野での利用価値が高い。
【符号の説明】
【００３３】
１  透明シート
２  透明シートの孔
３  透明シートの切欠部
３０１  切欠部（３）の端部
３０２  切欠部（３）の端部
４  固定部材
４０１  固定部材の一部
４０２  固定部材の一部
５  フレーム
５０１  側面フレーム
５０２  前面フレーム
【図１】
0003227844.tif 000003
【図２】
0003227844.tif 000004
【図３】
0003227844.tif 000005
【図４】
0003227844.tif 000006
【図５】
0003227844.tif 000007
【図６】
0003227844.tif 000008